(57)【特許請求の範囲】
【請求項１】
車体に固定されシフトレバー装置の表面に配設された表面化粧部材と、前記表面化粧部材の前方側に所定の間隔を隔てて配設された前方相手部材と、前記表面化粧部材の後方側に所定の間隔を隔てて配設された後方相手部材と、前記前方相手部材と前記後方相手部材との間に介設されて前記表面化粧部材の周縁を覆うアッパーパネルと、をもつシフトレバー装置周辺構造であって、
前記前方相手部材及び前記後方相手部材はそれぞれ基準孔をもち、
前記アッパーパネルは、前記前方相手部材の側と前記後方相手部材の側に分割された前方パネルと後方パネルとから構成されているとともに、前記前方パネルに設けた突部が前記前方相手部材に設けた前記基準孔に嵌入され、前記後方パネルに設けた突部が前記後方相手部材に設けた前記基準孔に嵌入されることにより、前記前方パネルと前記後方パネルがそれぞれ前記前方相手部材と前記後方相手部材に対して位置決め固定されており、
前記表面化粧部材の周縁部は平坦面を有し、前記前方パネル及び前記後方パネルは、前記表面化粧部材の前記平坦面に当接する当接端部を有することを特徴とするシフトレバー装置周辺構造。
【請求項２】
前記表面化粧部材は、シフトレバーパネルであることを特徴とする請求項１記載のシフトレバー装置周辺構造。
【請求項３】
前記表面化粧部材は、シフトレバーパネルの周縁を囲むリング部材であることを特徴とする請求項１記載のシフトレバー装置周辺構造。
【請求項４】
前記表面化粧部材及び前記アッパーパネルの側端部にはサイドパネルが配設されており、前記サイドパネルは、前記アッパーパネルを構成する前記前方パネル及び前記後方パネルの側端部に前後方向の位置ずれを可能な状態で係止されていることを特徴とする請求項１乃至請求項３のいずれか１項に記載のシフトレバー装置周辺構造。
【発明の詳細な説明】
【技術分野】
【０００１】
本発明は、シフトレバー装置周辺構造に関し、特に車体に固定されたインストルメントパネルとセンターコンソールとの間などにアッパーパネルを組付けてなるシフトレバー装置周辺構造に関する。
【背景技術】
【０００２】
車両におけるセンターコンソールには、シフトレバー装置、カップホルダー、ボックスなどの合成樹脂からなる内装部品が搭載されている。たとえば、従来、センターコンソールの前方側は、アッパーパネルにより被覆され、アッパーパネルにより車体前方のインストルメントパネルと連接している。アッパーパネルは、インストルメントパネルとの間の隙間を管理するため、インストルメントパネル側に位置基準を設定していた。
【０００３】
また、センターコンソールの部材間の隙間を管理する技術として、下記の特許文献１，２が開示されている。特許文献１では、内装部品を、車両に取り付けられるセンターコンソール本体に直接に組み付けることにより、組み付け誤差を抑制している。特許文献２では、センターコンソールと蓋との間に遮蔽カバーを装架して蓋開閉の際に常に蓋とセンターコンソールとの間を遮蔽カバーで被覆し、この間の隙間に小物などが落下するのを防止している。
【特許文献１】特開２００６−１５１１１２号公報
【特許文献２】特許第３５８４４２５号公報
【発明の開示】
【発明が解決しようとする課題】
【０００４】
しかしながら、上記従来のようにアッパーパネルをインストルメントパネル側に位置基準を設定すると、アッパーパネルやその周辺の部材の寸法誤差や組み付け誤差などが生じた場合に、アッパーパネルとセンターコンソール側の部材との間の隙間に誤差を生じやすい。このため、部材間の干渉を防ぐため、隙間を大きくとる必要があり、見栄えが悪かった。
【０００５】
本発明はかかる事情に鑑みてなされたものであり、部材間の隙間の誤差を抑制し外観性に優れたシフトレバー装置周辺構造を提供することを目的とする。
【課題を解決するための手段及び効果】
【０００６】
上記課題を解決する本発明は、車体に固定されシフトレバー装置の表面に配設された表面化粧部材と、前記表面化粧部材の前方側に所定の間隔を隔てて配設された前方相手部材と、前記表面化粧部材の後方側に所定の間隔を隔てて配設された後方相手部材と、前記前方相手部材と前記後方相手部材との間に介設されて前記表面化粧部材の周縁を覆うアッパーパネルと、をもつシフトレバー装置周辺構造であって、前記前方相手部材及び前記後方相手部材はそれぞれ基準孔をもち、前記アッパーパネルは、前記前方相手部材の側と前記後方相手部材の側に分割された前方パネルと後方パネルとから構成されているとともに、前記前方パネルに設けた突部が前記前方相手部材に設けた前記基準孔に嵌入され、前記後方パネルに設けた突部が前記後方相手部材に設けた前記基準孔に嵌入されることにより、該前方パネルと前記後方パネルがそれぞれ前記前方相手部材と前記後方相手部材に対して位置決め固定されており、前記表面化粧部材の周縁部は平坦面を有し、前記前方パネル及び前記後方パネルは、前記表面化粧部材の前記平坦面に当接する当接端部を有することを特徴とする。
【０００７】
上記構成により、アッパーパネルが、前方相手部材の側と後方相手部材の側に分割され、その分割された各部材をそれぞれ前方相手部材と後方相手部材に対して位置決めしている。このため、アッパーパネルなどに寸法誤差や組み付け誤差が生じても、アッパーパネルと前方相手部材との間の隙間と、アッパーパネルと後方相手部材との間の隙間の双方を正確に設定できる。ゆえに、部材間の隙間の誤差を抑制し外観性に優れたシフトレバー装置周辺構造を提供することができる。
【０００８】
前方パネルと後方パネルとをそれぞれ前方相手部材と後方相手部材に対して位置決め固定する構成としては、前方相手部材及び後方相手部材は基準孔をもち、かつ前方パネル及び後方パネルは、それぞれ突部をもつ。前方パネルの突部は、前方相手部材の基準孔に嵌入され、後方パネルの突部は、後方相手部材の基準孔に嵌入されている。このように、前方相手部材および後方相手部材の各基準孔に前方パネルおよび後方パネルに設けた突部を挿入することにより、前方パネルが前方相手部材に対して位置決めされ、後方パネルが後方相手部材に対して位置決めされる。
【０００９】
また、アッパーパネルの前方パネル及び後方パネルはそれぞれ突部をもち、突部を挿入する基準孔を前方相手部材及び後方相手部材に設けているため、突部と基準孔との嵌め合いによりアッパーパネルを正確に位置決めすることができる。
【００１０】
なお、アッパーパネルの前方パネル及び後方パネルはそれぞれ、前方相手部材及び後方相手部材に対してかしめにより位置決め固定されていてもよい。
【００１１】
表面化粧部材の周縁部は平坦面を有し、前方パネル及び後方パネルは、前記表面化粧部材の前記平坦面に当接する当接端部を有する。前方パネル、後方パネルなどに寸法誤差や組み付け誤差が生じている場合がある。この場合、前方パネルと後方パネルがそれぞれ前方相手部材と後方相手部材に位置決め固定されたときに、前方パネルと後方パネルにおける表面化粧部材の側の端部は、表面化粧部材の平坦面の上で位置をずらして誤差を逃がすことができる。
【００１２】
表面化粧部材は、車両のシフトレバー装置の表面化粧部材である。表面化粧部材としては、シフトレバーを可動可能に挿入する穴部をもつシフトレバーパネル、またはシフトレバーパネルの周縁を囲むシルバーリングなどのリング部材などがある。
【００１３】
前方相手部材、後方相手部材としては、表面化粧部材の前方側及び後方側に所定の間隔を隔てて配設されている車両内装部品であれば特に限定はなく、例えば、インストルメントパネル、センターコンソールに搭載されている各部材などがある。
【００１４】
表面化粧部材、前方相手部材、後方相手部材、アッパーパネルの組み合わせ例として、表面化粧部材はシフトレバー装置の表面化粧部材、前方相手部材は灰皿またはトレイ、後方相手部材はコンソールボックス、アッパーパネルは表面化粧部材と前方相手部材および後方相手部材との間に配置されたアッパーパネルを挙げることができる。これらの部材は、たとえば、センターコンソールやインストルメントパネルなどに装着されている。
【００１５】
表面化粧部材及びアッパーパネルの側端部にはサイドパネルが配設されている場合がある。この場合、サイドパネルは、アッパーパネルを構成する前方パネル及び後方パネルの側端部に前後方向の位置ずれを可能な状態で係止されていることが好ましい。この場合、サイドパネルが表面化粧部材とアッパーパネルとの間を前後方向に拘束しない。このため、前方パネル及び後方パネルに寸法誤差が生じた状態で前方相手部材および後方相手部材に位置合わせするとき、前方パネルと表面化粧部材との間及び後方パネルと表面化粧部材との間で前後方向の位置ずれを許して、前方パネルと前方相手部材との間及び後方パネルと後方相手部材との間の前後方向の位置合わせを妨げない。
【発明を実施するための最良の形態】
【００１６】
以下に、本発明のシフトレバー装置周辺構造の実施形態について、図面を用いて説明する。
【００１７】
本例のシフトレバー装置周辺構造は、図１，図２に示すように、表面化粧部材としてのシフトレバーパネル６１の周縁を囲むシルバーリング３と、前方相手部材としてのインストルメントパネル７に装着された灰皿７３と、後方相手部材としてのセンターコンソール９に装着されたカップホルダー８とをもつ。灰皿７３とカップホルダー８との間は、所定の間隔が隔てられていて、その略中央にシルバーリング３が配設されている。シルバーリング３の周縁は、アッパーパネル１２０により被覆されている。アッパーパネル１２０は、インストルメントパネル７とセンターコンソール９のカップホルダー８との間に介設されている。アッパーパネル１２０は、灰皿７３が配設されている前方側と、カップホルダー８が配設されている後方側に２つの分割されている。前方側の分割片を前方パネル１、後方側の分割片を後方パネル２という。前方パネル１及び後方パネル２は、それぞれ灰皿７３及びカップホルダー８に対して位置決め固定されている。
【００１８】
シフトレバーパネル６１は、シフトレバー装置６の表面に配設され、シフトレバーを前後左右に揺動可能に貫通させる開口穴６２をもつ。
【００１９】
シルバーリング３は、シフトレバーパネル６１の周縁を略円形状に囲むリング部材である。図３に示すように、シルバーリング３の上面には、アッパーパネル１２０の前方パネル１及び後方パネル２の当接端部１０１が当接する平坦面３１が略リング状に設けられている。シルバーリング３の外周縁には、周方向に広がるフランジ部３４が延設されている。フランジ部３４の前方パネル１の側には、前方パネル１を固定する長孔３３１，３３２が開口している。フランジ部３４の後方パネル２の側には、後方パネル２を固定する長孔３４１，３４２が開口している。また、長孔３３１，３４１の左側（図４中のＬ方向）外縁部には、左側のサイドパネル４を固定する丸孔３３３，３４３が開口している。長孔３３２，３４２の右側（図４中のＲ方向）外縁部には、右側のサイドパネル５を固定する丸孔３３４，３４４が開口している。
【００２０】
図３〜図６に示すように、シルバーリング３の前方（図４中のＦ方向）には、アッパーパネル１２０の前方パネル１が配設されている。前方パネル１の幅は、シルバーリング３の幅とほぼ同じである。前方パネル１の表面は、前方にいくにしたがって緩やかに上向きに傾斜して、灰皿７３の傾斜面と滑らかに連続するように連接している。図５に示すように、前方パネル１には、突部１１，１２が設けられている。突部１１，１２は、灰皿７３の孔部７１，７２に形成された基準孔７１０，７２０に嵌入されている。突部１１，１２は、断面「Ｈ」字状で、前方パネル１の裏面から下方に向けて延設されている。突部１１，１２は、灰皿７３の基準孔７１０，７２０に隙間無く嵌入される。また、図６、図１、図２に示すように、前方パネル１の基準孔７１０、７２０よりも後方側には、前方パネル１をシルバーリング３の長孔３３１，３３２に固定するための突出片１３，１４が突出している。突出片１３，１４には、クリップ９５の係止爪９５１を係止する係止凹部１３１，１４１が形成されている。
【００２１】
また、前方パネル１の左右両端には、サイドパネル４，５の側端部に設けたフランジ部４１、５１を係止するＬ字形状の係止片１７，１７が延設している。前方パネル１の後方側の先端部１０の裏面側は、シルバーリング３の周縁部に設けた平坦部３０に当接する当接端部１０１が設けられている。当接端部１０１は、シルバーリング３の平坦面３０の略リング形状に沿って円弧状に湾曲している。
【００２２】
図３，図４、図７、図８に示すように、シルバーリング３の後方（図４中のＢ方向）には、アッパーパネル１２０の後方パネル２が配設されている。後方パネル２の幅は、シルバーリング３の幅とほぼ同じである。後方パネル２の表面は、平坦で、センターコンソール９に搭載されたカップホルダー８の蓋部８６の表面と略同一面を形成するようになっている。後方パネル３には、カップホルダー８の基準孔８１，８２に嵌入する突部２１，２２が設けられている。突部２１，２２は、前方パネル１の突部１１，１２と同様に、断面「Ｈ」状で、後方パネル２の裏面から下方に向けて延設されている。突部２１，２２は、カップホルダー８の基準孔８１，８２に隙間無く嵌入される。また、図７、図３，図１に示すように、後方パネル２の基準孔８１，８２よりも前方側には、後方パネル２をシルバーリング３の長孔３４１，３４２に固定するための突出片２３，２４が突出している。突出片２３，２４には、クリップ９５の係止爪９５１を係止する係止凹部２３１，２４１が形成されている。
【００２３】
また、後方パネル２の左右両端には、前方パネル１の係止片１７，１７と同様に、サイドパネル４，５の側端部に設けたフランジ部４２，５２を係止するＬ字形状の係止片１８，１８が延設している。後方パネル２の前方側の先端部２０の裏面側には、シルバーリング３に設けた平坦部３０に当接する当接端部２１が設けられている。当接端部２１は、シルバーリング３の平坦面３０の略リング形状にならって円弧状に湾曲している。
【００２４】
シルバーリング３及びアッパーパネル１２０の左右両端は、長尺状のサイドパネル４，５が配設されている。図１に示すように、サイドパネル４，５はセンターコンソール９の左右両側のコーナー部を形成する部材である。サイドパネル４、５は、シルバーリング３と対向する側にフランジ部４１，４２，５１，５２が突出している。右側（図４のＲ側）のサイドパネル５に設けられたフランジ部５１，５２は、円柱状に下方に突出しシルバーリング３の丸孔３３４，３４４に嵌合するボス５１１，５２１を有する。また、左側（図４のＬ側）のサイドパネル４に設けられたフランジ部４１，４２も、フランジ部５１，５２と同様に、シルバーリング３の丸孔３３３，３４３に嵌合するボス（図示略）を有する。サイドパネル４，５の前方側の先端部には、インストルメントパネル７に固定するための長孔４３、５３を有している。サイドパネル５の裏面側には、インストルメントパネル７に固定するための固定片（図示略）と、センターコンソール９に固定するための固定片５８，５９とを有している。サイドパネル４にも、インストルメントパネル７及びセンターコンソール９に固定するための固定片を有している（図示略）。これらの固定片は、クリップ９５を用いて固定される。
【００２５】
シフトレバーパネル６１、シルバーリング３、灰皿７３、カップホルダー８、前方パネル１及び後方パネル２は、合成樹脂製である。
【００２６】
次に、シフトレバー装置周辺構造の組み付け方法を説明する。
【００２７】
まず、図３、図１に示すように、センターコンソール９の基部９１にシフトレバー装置６を固定する。次に、シフトレバー装置６のシフトレバーパネル６１の周縁部にシルバーリング３を配置する。次に、シルバーリング３の前方側及び後方側に前方パネル１及び後方パネル２を配置する。このとき、前方パネル１及び後方パネル２の裏面が、シルバーリング３のフランジ部３３，３４から上方に突出する突出片３３５，３４５に当接する。また、図３，図６に示すように、クリップ９５にて前方パネル１及び後方パネル２の固定片１３，１４，２３，２４を挟持するとともにクリップ９５と固定片１３，１４，２３，２４の先端部をシルバーリング３の長孔３３１，３３２，３４１，３４２の中に挿入する。このとき、クリップ９５の係止爪９５１が固定片１３，１４，２３，２４の係止凹部１３１，１４１，２３１，２４１に係止され、固定片１３，１４，２３，２４が長孔３３１，３３２，３４１，３４２から抜け出ることが防止される。これにより、前方パネル１及び後方パネル２を、シルバーリング３に対して固定する。また、図６に示すように、前方パネル１の突部１１、１２を基準孔７１０、７２０に嵌入することにより、前方パネル１を灰皿７３に対して位置決め固定を行う。前方パネル１の前方端部１６と灰皿７３の下部７４との間は所定の隙間７５をあける。また、図８に示すように、後方パネル２の突部２１、２２をカップホルダーの基準孔８１，８２に嵌入することにより、後方パネル２をカップホルダー８に対して位置決め固定を行う。後方パネル２の後方端部２６とカップホルダー８の蓋部８６の端部８６１との間は所定の隙間８５をあける。
【００２８】
次に、サイドパネル４，５のボス５１１，５２１（サイドパネル４のボスは図示略）をシルバーリング３の丸孔３３３，３４３，３３４，３４４に嵌入し、ボス５１１，５２１の中にネジ９６を嵌入して、サイドパネル４，５をシルバーリング３に組み付ける。次に、サイドパネル４，５の固定片４８，４９，５８，５９を、クリップ９５を用いてセンターコンソール９の基部９１に対して固定する。また、サイドパネル４、５の前方側の固定片（図示略）については、クリップ９５を用いてインストルメントパネル７の灰皿７３の両側に設けた固定穴７５，７６に固定する。その後、図１に示すように、サイドパネル４，５の前方側とインストルメントパネル７との間をカバー７７、７８により被覆し、カバー７７，７８の裏面に突出する固定片をサイドパネル４，５の長孔４３，５３に挿入し、その先端部をインストルメントパネルの固定孔に嵌入する。これにより、カバー７７，７８をサイドパネル４，５及びインストルメントパネル７に固定する。以上により図１に示すシフトレバー装置周辺構造が得られる。
【００２９】
本例の組付け体においては、アッパーパネル１２０が、灰皿７３が配設されている前方側の前方パネル１と、カップホルダー８が配設されている後方側の後方パネル２に分割されている。前方パネル１は、その突部１１，１２を灰皿７３の基準孔７１０、７２０に対して嵌入することにより、灰皿７３に対して位置決め固定される。後方パネル２は、その突部２１，２２をカップホルダー８の基準孔８１，８２に嵌入することにより、カップホルダー８に対して位置決め固定される。このように、前方パネル１と後方パネル２とは、それぞれ灰皿７３、カップホルダー８に対して位置決めされるため、前方パネル１及び後方パネル２などに寸法誤差や組み付け誤差が生じても、前方パネル１と灰皿７３との間の隙間７５と、後方パネル２とカップホルダー８との間の隙間８５の双方を正確に設定できる。ゆえに、隙間７５，８５の誤差を抑制し外観性に優れている。また、隙間７５，８５が狭くなり、隣接する灰皿７３や蓋体８６の開閉に支障を生じさせることを防止できる。
【００３０】
一方、図９に示すように、アッパーパネル１２０が分割されていない一体品の場合には、アッパーパネル１２０を灰皿７３の側で位置決め固定すると、後方側のカップホルダー８との間の隙間を調整することができない。このため、アッパーパネルの寸法が製造誤差等により基準値よりも小さくなったときには、カップホルダー８との隙間８５が大きすぎて見栄えが悪くなる。逆に、アッパーパネルの寸法が基準値よりも大きくなったときには、カップホルダー８との隙間８５が狭すぎて、カップホルダー８の蓋体８６と干渉し、蓋体８６の開閉に支障が生じる場合がある。
【００３１】
本実施形態では、図２に示すように、アッパーパネル１２０を前方パネル１と後方パネル２に分割してそれぞれを前方側の灰皿７３と後方側のカップホルダー８に対して位置決め固定している。ゆえに、両者間の隙間７５，８５を正確に調整でき、見栄えがよく且つ他部品との干渉もない優れたパネル組み立て体であるといえる。
【００３２】
また、本実施形態において、サイドパネル４，５は、前方パネル１及び後方パネル２の側端部のＬ字形状の係止片１７、１７、１８，１８に前後方向の位置ずれを可能な状態で係止されている。このため、サイドパネル４，５は、前方パネル１と後方パネル２の前後方向に拘束しない。それゆえ、前方パネル１及び後方パネル２に寸法誤差が生じた場合にも、前方パネル１とシルバーリング３との間及び後方パネル２とシルバーリング３との間で前後方向の位置ずれを許して、前方パネル１と灰皿７３との間及び後方パネル２とカップホルダー８との間の前後方向の位置決めを妨げない。
【００３３】
本例においては、シフトレバーパネル６１の周縁を覆うシルバーリング３を設けているが、シルバーリング３がなくてもよい。この場合、シフトレバーパネル６１の周縁部に平坦面を設けその平坦面をアッパーパネルにより被覆する構成となる。
【００３４】
また、シルバーリング３は略リング状であるが。四角形状でもよい。この場合、前方パネル１及び後方パネル２の先端部１０，２０は、シルバーリング３の形状に合わせて直線形状となる。
【００３５】
本例では前方パネル１の前方側には灰皿７３が、後方パネル２の後方側はカップホルダー８が配置しているが、前方パネル１の前方側にトレーまたはカップホルダーが、後方パネル２の後方側はコンソールボックスが配置していてもよい。
【００３６】
また、前方パネル１，後方パネル２及びサイドパネル４，５とセンターコンソール９とはクリップ９５にて固定されているが、ボルト締め、かしめなどにより固定されていてもよい。
【図面の簡単な説明】
【００３７】
【図１】本実施形態のシフトレバー装置周辺構造の斜視図である。
【図２】図１のＡ−Ａ線矢視断面斜視図である。
【図３】本実施形態のシフトレバー装置、シルバーリング、アッパーパネル及びサイドパネルの斜視図である。
【図４】本実施形態のシフトレバー装置、シルバーリング、アッパーパネル及びサイドパネルの分解斜視図である。
【図５】本実施形態の前方パネルを灰皿に組み付ける方法を示す説明図である。
【図６】図１のＢ−Ｂ線矢視断面図である。
【図７】本実施形態の後方パネルをカップホルダーに組み付ける方法を示す説明図である。
【図８】図１のＣ−Ｃ矢視断面図である。
【図９】比較のためのシフトレバー装置周辺構造の断面斜視図である。
【符号の説明】
【００３８】
図中、１は前方パネル、２は後方パネル、３はシルバーリング（リング部材）、４，５はサイドパネル、６はシフトレバー装置、６１はシフトレバーパネル（表面化粧部材）、７はインストルメントパネル、８はカップホルダー（後方相手部材）、９はセンターコンソール、１０，２０は端部、１１，１２、２１，２２は突部、３０は平坦面、７３は灰皿（前方相手部材）、１０１は当接端部、１２０はアッパーパネル、７１０，７２０，８１，８２は基準孔、３３１，３３２，３４１，３４２は長孔である。
【図１】
0004811219.tif 000002
【図２】
0004811219.tif 000003
【図３】
0004811219.tif 000004
【図４】
0004811219.tif 000005
【図５】
0004811219.tif 000006
【図６】
0004811219.tif 000007
【図７】
0004811219.tif 000008
【図８】
0004811219.tif 000009
【図９】
0004811219.tif 000010